(57)【要約】  本発明実施例は、信号品質のレポート方法及び装置を提供する。前記方法は、無線リンクモニタリングＲＬＭの評価周期内で測定信号が変化する時刻前の測定信号、及び／又は、ＲＬＭ評価周期内で変化した測定信号の信号品質を測定することと、ＵＥは、測定した信号品質を、予め設定した閾値と比較することと、ＵＥは、比較結果に基づき、同期指示又は非同期指示を生成しレポートすることとを含む。【選択図】図２
2020535696.tif 000002
【特許請求の範囲】
【請求項１】
無線リンクモニタリングＲＬＭの評価周期内で測定信号が変化する時刻前の測定信号、及び／又は、前記評価周期内で変化した測定信号の信号品質を測定することと、
測定した信号品質を、予め設定した閾値と比較することと、
比較結果に基づき、同期ＩＳ又は非同期ＯＯＳ指示を生成しレポートすることと、
を含む、信号品質のレポート方法。
【請求項２】
測定信号セットを更新する過程において、前記ＲＬＭ評価周期内での測定信号が変化する時刻前の測定信号とは、測定信号セットが更新する時刻前かつ前記ＲＬＭ評価周期内での測定信号セットであり、前記ＲＬＭ評価周期内で変化した測定信号とは、測定信号セットが更新した後かつ前記ＲＬＭ評価周期内での測定信号セットであり、
ビーム障害のリカバリー過程において、前記ＲＬＭ評価周期内での測定信号が変化する時刻前の測定信号とは、ビーム障害のリカバリーの成功時刻前かつ前記ＲＬＭ評価周期内でビーム障害が発生した測定信号であり、前記ＲＬＭ評価周期内で変化した測定信号とは、前記ＲＬＭ評価周期内でビーム障害のリカバリーが成功した測定信号である、請求項１に記載の信号品質のレポート方法。
【請求項３】
ビーム障害リカバリーの過程において、リカバリー成功したビームは障害が発生したビームと同じである場合、前記ＲＬＭ評価周期内でビームのリカバリーが成功した測定信号は、
障害発生時刻が前記ＲＬＭ評価周期外である場合、前記ＲＬＭ評価周期内でビームリカバリーの成功時刻後の測定信号であり、
障害発生時刻が前記ＲＬＭ評価周期内である場合、前記ＲＬＭ評価周期内で障害発生時刻前と前記ＲＬＭ評価周期内でビームリカバリーの成功時刻後の測定信号である、請求項２に記載の信号品質のレポート方法。
【請求項４】
１つのＲＬＭ評価周期内での測定信号の信号品質を測定する態様は、
自体の１つ又は複数の測定信号のＲＬＭ評価周期内での複数指定時刻の信号品質を取得し、各測定信号の複数指定時刻の信号品質の平均を算出し、平均した結果を１つ又は複数の測定信号に対応する測定した前記信号品質とする態様１と、
自体の１つ又は複数の測定信号の前記ＲＬＭ評価周期内での複数指定時刻の信号品質を取得し、得られた信号品質から各指定時刻の最大信号品質を確定し、確定したすべての最大信号品質の平均を算出し、平均した結果を測定した前記信号品質とする態様２とを含む、請求項２に記載の信号品質のレポート方法。
【請求項５】
前記ＵＥの測定信号セットを更新する過程において、測定信号セットの更新時刻前かつ前記ＲＬＭ評価周期内での測定信号セット及び測定信号セットの更新時刻後かつ前記ＲＬＭ評価周期内での測定信号セットを、前記態様１及び前記態様２の信号品質測定の対象とし、あるいは、
前記ＵＥの測定信号セットを更新する過程において、測定信号セットの更新時刻後かつ前記ＲＬＭ評価周期内での測定信号セットを、前記態様１及び前記態様２の信号品質測定の対象とする、請求項４に記載の信号品質のレポート方法。
【請求項６】
ビーム障害リカバリーの過程において、ビームリカバリーの成功時刻前かつ前記ＲＬＭ評価周期内で障害が発生したビームの測定信号、及び前記ＲＬＭ評価周期内でビームのリカバリーが成功した前記測定信号を、前記態様１及び前記態様２の信号品質測定の対象とし、あるいは、
前記ＲＬＭ評価周期内でビームのリカバリーが成功した前記測定信号を、前記態様１及び前記態様２の信号品質測定の対象とする、請求項４に記載の信号品質のレポート方法。
【請求項７】
前記測定信号がビーム更新又はビーム障害リカバリーで使用した信号と同じである場合、前記測定信号のリソースは、前記ビーム更新又はビーム障害リカバリーのリソースのサブセットである、請求項２に記載の信号品質のレポート方法。
【請求項８】
ビーム変化の時刻にネットワーク側から送信したビーム割り当ての更新指示シグナリングを受信し、前記指示シグナリングは測定信号リソースの更新を指示するために用いられ、前記指示シグナリングの指示態様は、明示式指示と不明示式指示を含み、前記明示式指示とは前記シグナリングによって明確的に更新した測定信号リソースを指示することであり、前記不明示式指示とは前記シグナリングの特徴情報によって前記更新した測定信号リソースを指示することであり、前記ビーム割り当ての指示シグナリングは、無線リソースコントロールＲＲＣシグナリング、メディアアクセスコントロール層ＭＡＣのコントロールエレメントＣＥ、物理層のコントロールシグナリングのダウンリンクコントロール情報ＤＣＩの少なくとも１つである、請求項２に記載の信号品質のレポート方法。
【請求項９】
ビーム障害リカバリー成功の時刻にネットワーク側が送信したビーム障害リカバリーの成功指示シグナリングを受信し、前記ビーム障害のリカバリー成功指示シグナリングは前記測定信号リソースの更新を指示し、前記指示シグナリングの指示態様は、明示式指示と不明示式指示を含み、前記明示式指示とは前記シグナリングによって明確的に更新した測定信号リソースを指示することであり、前記不明示式指示とは前記シグナリングの特徴情報によって前記更新した測定信号リソースを指示することであり、あるいは、リカバリー成功したビームに対応する信号リソースを更新した測定信号のリソースとし、ビーム障害のリカバリー成功指示シグナリングはＲＲＣシグナリング、ＭＡＣ  ＣＥ、ＤＣＩの少なくとも１つである、請求項２に記載の信号品質のレポート方法。
【請求項１０】
前記態様１を採用する場合、比較結果に基づき、同期ＩＳ又は非同期ＯＯＳ指示を生成しレポートすることは、平均したすべての結果が予め設定した第１閾値より小さい場合、ＯＯＳ指示を生成しレポートすることと、平均したすべての結果における少なくとも１つの結果が予め設定した第２閾値以上である場合、ＩＳ指示を生成しレポートすることとを含み、
前記態様２を採用する場合、比較結果に基づき、同期ＩＳ又は非同期ＯＯＳ指示を生成しレポートすることは、平均した結果が予め設定した前記第１閾値より小さい場合、ＯＯＳ指示を生成しレポートすることと、平均した結果が予め設定した前記第２閾値以上である場合、前記ＩＳ指示を生成しレポートすることとを含む、請求項５に記載の信号品質のレポート方法。
【請求項１１】
ビーム障害のリカバリー成功の時刻に、前記ＩＳ指示をレポートし、前記ＩＳ指示のレポート時刻から、ビームのリカバリーが成功した測定信号を測定する、請求項２に記載の信号品質のレポート方法。
【請求項１２】
ビーム障害のリカバリー成功時刻は、比較結果に基づく同期ＩＳ又は非同期ＯＯＳ指示の生成時刻もしくは同期ＩＳ又は非同期ＯＯＳ指示のレポート時刻と同じである場合、該時刻から１つの時間間隔をずらして、前記ＩＳ指示をレポートし、前記ＩＳ指示のレポート時刻から、ビームのリカバリーが成功した測定信号を測定する、請求項１１に記載の信号品質のレポート方法。
【請求項１３】
無線リンクモニタリングＲＬＭの評価周期内でユーザー装置ＵＥの測定信号が変化する時刻前の測定信号、及び／又は、前記評価周期内で変化した測定信号の信号品質を測定するように設定される測定モジュールと、
測定した信号品質を、予め設定した閾値と比較するように設定される比較モジュールと、
比較結果に基づき、同期ＩＳ又は非同期ＯＯＳ指示を生成しレポートするように設定される生成・レポートモジュールと、
を備える、信号品質のレポート装置。
【請求項１４】
測定信号セットを更新する過程において、前記ＲＬＭ評価周期内での測定信号が変化する時刻前の測定信号とは、測定信号セットが更新する時刻前かつ前記ＲＬＭ評価周期内での測定信号セットであり、前記ＲＬＭ評価周期内で変化した測定信号とは、測定信号セットが更新した後かつ前記ＲＬＭ評価周期内での測定信号セットであり、
ビーム障害のリカバリー過程において、前記ＲＬＭ評価周期内での測定信号が変化する時刻前の測定信号とは、ビーム障害のリカバリーの成功時刻前かつ前記ＲＬＭ評価周期内でビーム障害が発生した測定信号であり、前記ＲＬＭ評価周期内で変化した測定信号とは、前記ＲＬＭ評価周期内でビーム障害のリカバリーが成功した測定信号である、請求項１３に記載の信号品質のレポート装置。
【請求項１５】
ビーム障害リカバリーの過程において、リカバリー成功したビームは障害が発生したビームと同じである場合、前記ＲＬＭ評価周期内でビームのリカバリーが成功した測定信号は、
障害発生時刻が前記ＲＬＭ評価周期外である場合、前記ＲＬＭ評価周期内でビームリカバリーの成功時刻後の測定信号であり、
障害発生時刻が前記ＲＬＭ評価周期内である場合、前記ＲＬＭ評価周期内で障害発生時刻前と前記ＲＬＭ評価周期内でビームリカバリーの成功時刻後の測定信号である、請求項１４に記載の信号品質のレポート装置。
【請求項１６】
前記測定モジュールは、
ＵＥの１つ又は複数の測定信号のＲＬＭ評価周期内での複数指定時刻の信号品質を取得し、前記１つ又は複数の測定信号の複数指定時刻の信号品質を取得し、各測定信号の複数指定時刻の信号品質の平均を算出し、平均した結果を１つ又は複数の測定信号に対応する測定した前記信号品質とする態様１と、
前記ＵＥの１つ又は複数の測定信号の前記ＲＬＭ評価周期内での複数指定時刻の信号品質を取得し、得られた信号品質から各指定時刻の最大信号品質を確定し、確定したすべての最大信号品質の平均を算出し、平均した結果を測定した前記信号品質とする態様２とを含む態様で測定を行う、請求項１４に記載の信号品質のレポート装置。
【請求項１７】
前記測定モジュールは、さらに
測定信号セットを更新する過程において、測定信号セットの更新時刻前かつ前記ＲＬＭ評価周期内での測定信号セット及び測定信号セットの更新時刻後かつ前記ＲＬＭ評価周期内での測定信号セットを、前記態様１及び前記態様２の信号品質測定の対象とし、あるいは、
前記ＵＥの測定信号セットを更新する過程において、測定信号セットの更新時刻後かつ前記ＲＬＭ評価周期内での測定信号セットを、前記態様１及び前記態様２の信号品質測定の対象とするように設定される、請求項１６に記載の信号品質のレポート装置。
【請求項１８】
前記測定モジュールは、さらに
測定信号リカバリーの過程において、ビームリカバリーの成功時刻前かつ前記ＲＬＭ評価周期内で障害が発生したビームの測定信号、及び前記ＲＬＭ評価周期内でビームのリカバリーが成功した前記測定信号を、前記態様１及び前記態様２の信号品質測定の対象とし、あるいは、
前記ＲＬＭ評価周期内でビームのリカバリーが成功した前記測定信号を、前記態様１及び前記態様２の信号品質測定の対象とするように設定される、請求項１６に記載の信号品質のレポート装置。
【請求項１９】
前記生成・レポートモジュールは第１レポートサブモジュールをさらに含み、
前記態様１を採用する場合、前記第１レポートサブモジュールは、さらに、平均したすべての結果が予め設定した第１閾値より小さい場合、上層に前記ＯＯＳ指示をレポートし、平均したすべての結果における少なくとも１つの結果が予め設定した第２閾値以上である場合、上層に前記ＩＳ指示をレポートするように設定され、
前記態様２を採用する場合、前記第１サブレポートモジュールは、さらに、平均した結果が予め設定した第１閾値より小さい場合、上層に前記ＯＯＳ指示をレポートし、平均した結果が予め設定した第２閾値以上である場合、上層に前記ＩＳ指示をレポートするように設定される、請求項１７に記載の信号品質のレポート装置。
【請求項２０】
前記生成・レポートモジュールは、ビーム障害のリカバリー成功の時刻に、前記上層に前記ＩＳ指示をレポートし、前記ＩＳ指示をレポートする時刻から、ビームのリカバリーが成功した測定信号を測定するように設定される第２レポートサブモジュールをさらに含む、請求項１４に記載の信号品質のレポート装置。
【請求項２１】
前記装置は、さらに、
ビーム障害のリカバリー成功時刻は、比較結果に基づく同期ＩＳ又は非同期ＯＯＳ指示の生成時刻もしくは同期ＩＳ又は非同期ＯＯＳ指示のレポート時刻と同じである場合、該時刻から１つの時間間隔をずらして、ＩＳ指示をレポートし、前記ＩＳ指示のレポート時刻から、ビームのリカバリーが成功した測定信号を測定するように設定される処理モジュールを含む、請求項２０に記載の信号品質のレポート装置。
【請求項２２】
記憶したプログラムを含む記憶媒体であって、前記プログラムが作動されると、請求項１〜１２のいずれか１項に記載の信号品質のレポート方法を実行する、記憶媒体。
【請求項２３】
プログラムを作動させるプロセッサーであって、前記プログラムが作動されると、請求項１〜１２のいずれか１項に記載の信号品質のレポート方法を実行する、プロセッサー。
【発明の詳細な説明】
【技術分野】
【０００１】
本発明は、出願番号２０１７１０９１９７３０．５、出願日２０１７年０９月３０日の中国特許出願に基づいて提出し、該中国特許出願の優先権を主張するものであり、該中国特許出願の内容が引用により本発明に援用される。
【０００２】
本発明は、通信技術分野に関し、具体的には、信号品質のレポート方法、装置、コンピュータ記憶媒体及びプロセッサーに関する。
【背景技術】
【０００３】
無線技術の進歩に伴い、多種多様な無線業務が現れてきたが、無線業務で使用されているスペクトル資源は限られている。人々の帯域幅へのニーズが増加し続ける状況に直面し、伝統の商用通信で主に使用される３００ＭＨｚ〜３ＧＨｚ間のスペクトル資源は、極端に残りが少ない状況まで迫っており、将来の無線通信へのニーズを満たすことができない。
【０００４】
将来の無線通信は、第４世代（４Ｇ）の通信システムで採用されるキャリア周波数より高いキャリア周波数、たとえば、２８ＧＨｚ、４５ＧＨｚの周波数をサポートし通信する。システムの潜在的な周波数帯域は１００ＧＨｚまで達する。高い周波数帯域（＞６ＧＨｚ）において、電磁波の減衰が大きく、通常、ビームフォーミングの方法を使用して信号の減衰に対抗し、信号の伝送距離を長くするため、信号を通常ビームの形で受発信する。通常の場合では、基地局は、ユーザー装置（Ｕｓｅｒ  Ｅｑｕｉｐｍｅｎｔ、ＵＥ）に対して、１つ又は複数の品質の良いビームを割り当てて通信に使用する。ビームの品質は常に変化するため、ＵＥで使用されるビーム信号の品質に常に通信要求を満たさせるように、割り当てられるビームも変化し続ける必要がある。
【０００５】
正常の通信を保証するために、ＵＥ、具体的に物理層は該リンクの品質を周期的に測定し、測定結果をＵＥの上層に周期的にレポートし、上層に該ＵＥの状態を知らせる。たとえば、信号の品質はある閾値より大きい場合、ＵＥは上層に同期（ＩｎＳｙｎｃ、ＩＳ）をレポートする。また、信号の品質はある閾値より小さい場合、ＵＥは上層に非同期（ＯｕｔＯｆＳｙｎｃ、ＯＯＳ）をレポートする。通常の場合では、ＵＥは１つの時間帯（たとえば、１つのＲＬＭ評価周期）の複数の測定結果の平均を計算し、その時間帯の信号品質とする。将来の無線通信システムにおいて、ＵＥに複数のビームが割り当てられた場合、ＵＥは複数のビームの信号品質を同時に測定し、具体的な時間帯の信号品質を得、相応する指示を上層にレポートする必要がある。関連技術において、ある時間帯においてＵＥに割り当てられるサービスビームが変化した信号品質を取得できないため、上層に正確な指示をレポートすることができない。関連技術における該問題に対して、現在有効な解決方法が存在しない。
【発明の概要】
【発明が解決しようとする課題】
【０００６】
本発明実施例は、関連技術において、ある時間帯におおいてＵＥに割り当てられるサービスビームが変化した信号品質を取得できないことに起因して上層に正確な指示をレポートすることができないという問題を解決する信号品質のレポート方法、装置、コンピュータ記憶媒体及びプロセッサーを提供する。
【０００７】
本発明の１つの実施例によれば、無線リンクモニタリング（ＲＬＭ）の評価周期内で測定信号が変化する時刻前の測定信号、及び／又は、前記ＲＬＭ評価周期内で変化した測定信号の信号品質を測定することと、測定した信号品質を、予め設定した閾値と比較することと、比較結果に基づき、同期ＩＳ指示又は非同期ＯＯＳ指示を生成しレポートすることとを含む信号品質のレポート方法を提供する。
【０００８】
本発明の他の実施例によれば、無線リンクモニタリングＲＬＭの評価周期内でユーザー装置ＵＥの測定信号が変化する時刻前の測定信号、及び／又は、前記評価周期内で変化した測定信号の信号品質を測定するように設定される測定モジュールと、測定した信号品質を、予め設定した閾値と比較するように設定される比較モジュールと、比較結果に基づき、同期ＩＳ指示又は非同期ＯＯＳ指示を生成しレポートするように設定される生成・レポートモジュールとを含む信号品質のレポート装置を提供する。
【０００９】
本発明の更なる実施例によれば、記憶したプログラムを含む記憶媒体であって、プログラムが作動されると、上述した信号品質のレポート方法を実行する記憶媒体を提供する。
【００１０】
本発明の更なる実施例によれば、プログラムを作動させるプロセッサーであって、プログラムが作動されると、上述した信号品質のレポート方法を実行するプロセッサーを提供する。
【発明の効果】
【００１１】
本発明実施例によれば、ＲＬＭの評価周期内でサービスビームが変化する時刻前の測定信号、及び／又は、ＲＬＭ評価周期内で変化したサービスビームの測定信号を測定し、すなわち、変化した測定信号の信号品質を測定することができるため、測定した信号品質を、予め設定した閾値と比較し、比較結果に基づき、同期ＩＳ又は非同期ＯＯＳ指示を生成しレポートすることで、ある時間帯においてＵＥに割り当てられるサービスビームが変化した信号品質を取得できなことに起因して上層に正確な指示をレポートすることができないという問題を解決し、関連技術の空白を埋めた。
【図面の簡単な説明】
【００１２】
ここで説明される図面は、本発明の技術案に対する更なる理解を提供し、明細書の一部を構成し、本発明の模式実施例とともに本発明の技術案を解釈するためのものであり、本発明の技術案を制限するものではない。
【００１３】
【図１】本発明実施例の信号品質のレポート方法を有する移動端末のハードウェア構造のブロック図である。
【図２】本発明実施例に係る信号品質のレポート方法のフローチャートである。
【図３】本発明実施例に係る１つのＲＬＭ評価周期内において、サービスビームを測定する第１模式図である。
【図４】本発明実施例に係る１つのＲＬＭ評価周期内において、サービスビームを測定する第２模式図である。
【図５】本発明実施例に係る１つのＲＬＭ評価周期内において、サービスビームを測定する第３模式図である。
【図６】本発明実施例に係る１つのＲＬＭ評価周期内において、サービスビームを測定する第４模式図である。
【図７】本発明実施例に係る１つのＲＬＭ評価周期内において、サービスビームを測定する第５模式図である。
【図８】本発明実施例に係る１つのＲＬＭ評価周期内において、サービスビームを測定する第６模式図である。
【図９】本発明実施例に係る１つのＲＬＭ評価周期内において、サービスビームを測定する第７模式図である。
【図１０】本発明実施例に係る１つのＲＬＭ評価周期内において、サービスビームを測定する第８模式図である。
【図１１】本発明実施例の信号品質のレポート装置の構造模式図である。
【発明を実施するための形態】
【００１４】
以下、図面に結び付けて本発明実施例について説明する。なお、衝突しない場合、本発明の実施例及び実施例の特徴を組み合わせることができる。
なお、本発明の明細書と特許請求の範囲及び上述した図面における「第１」と「第２」などの用語は、類似する対象を区別するためのものであり、特定の順序又は前後順序を説明するものではない。
【００１５】
[実施例１]
本発明実施例一に係る方法は、移動端末中で実行できる。図１は本発明実施例の信号品質のレポート方法を有する移動端末のハードウェア構造のブロック図である。図１に示すように、移動端末１０には、１つ又は複数（図中、１つだけを示す）のプロセッサー１０２（プロセッサー１０２にはマイクロコントローラユニット（ＭＣＵ）とフィールドプログラマブルゲートアレイ（ＦＰＧＡ）などの処理装置が含まれるが、それに限定されない）、データを記憶するメモリー１０４、及び、通信機能用の伝送装置１０６を含んでも良い。当業者にとって、図１に示す構造は、説明するためのものであり、上記電子装置の構造を制限するものではないことを理解できる。たとえば、移動端末１０は図１より多いか又は少ないコンポーネントを有することが可能であり、あるいは、図１と異なる配置を有することが可能である。
【００１６】
メモリー１０４はアプリケーションのプログラム及びモジュール、たとえば、本発明実施例の信号品質のレポート方法に対応するプログラムコマンド・モジュールを記憶するために用いられても良い。プロセッサー１０２は、メモリー１０４に記憶されるプログラム及びモジュールを実行することで、各種機能の実行及びデータの処理を行い、上述した方法を実現する。メモリー１０４は、高速ランダムメモリー、不揮発性メモリー、たとえば、１つ又は複数の磁気記憶装置、フラッシュメモリー、あるいは、他の不揮発性のソリッドステートメモリーを含んでもよい。一部のインスタンスにおいて、メモリー１０４はさらにプロセッサー１０２に対しリモートで設けられたメモリーを含んでもよく、これらリモートメモリーはネットワークによって移動端末１０に接続してもよい。前記ネットワークのインスタンスは、インターネット、イントラネット、ローカルエリアネットワーク、モバイル通信ネットワーク、及びそれらの組み合わせを含んだが、それに限定されない。
【００１７】
伝送装置１０６は１つのネットワークを経由してデータを受送信する。前記ネットワークの具体的なインスタンスは、移動端末１０の通信プロバイダーより提供する無線ネットワークを含んでもよい。１つのインスタンスにおいて、伝送装置１０６は１つのネットワークインターフェースコントローラー（Ｎｅｔｗｏｒｋ  Ｉｎｔｅｒｆａｃｅ  Ｃｏｎｔｒｏｌｌｅｒ、ＮＩＣ）を含み、基地局によって他のネットワーク機器と接続し、インターネットと通信することが可能である。１つのインスタンスにおいて、伝送装置１０６は高周波（Ｒａｄｉｏ  Ｆｒｅｑｕｅｎｃｙ、ＲＦ）モジュールであり、無線態様によってインターネットと通信できる。
【００１８】
将来の無線技術において、ビームフォーミング技術の導入で、信号はビームの形で送受信し、たとえば、ダウンリンクの場合、基地局はビームの形で信号を送信し、ＵＥはビームの形で信号を受信し、基地局の送信ビームとＵＥの受信ビームは１つのビーム対となる。現在ＵＥ通信で使用するビーム対はサービスビームと呼ぶ。基地局は同時に複数のサービスビームをＵＥに割り当てることで、基地局における調整の柔軟性を高める。そのため、ＵＥは、正常の通信を保証するように複数のサービスビームの品質を測定する必要がある。
【００１９】
関連技術において、基地局はあるリソース上で１つのビームあるいは複数のビームを送信する。ＵＥはこのリソース上の信号を測定することで、対応する１つ又は複数ビームの信号品質を得ることが可能である。通常の場合、ＵＥは周期的なリソース上で周期的に測定する。通信システムにおいて、ＲＬＭの測定は、主に同期信号（Ｓｙｎｃｈｒｏｎｉｚａｔｉｏｎ  Ｓｉｇｎａｌ、ＳＳ）あるいはチャンネル状態情報参考信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）を基づくものである。すなわち、ＵＥはＳＳとＣＳＩ−ＲＳを測定することで、対応する信号品質を得る。本実施例において、ＳＳとＣＳＩ−ＲＳのかわりとして、参考信号（Ｒｅｆｅｒｅｎｃｅ  Ｓｉｇｎａｌ、ＲＳ）を統一に使用して測定信号を表す。本実施例において、１つのＲＳは１つのビームに対応すると仮定する。すなわち、基地局は１つのＲＳリソース上で１つのビームしか送信せず、異なるＲＳリソース上で異なるビームを送信する。
【００２０】
ネットワーク側、具体的に基地局はＵＥに対してＮ個のサービスビームを割り当ててもよく、Ｎは１以上の整数である。そのため、ＵＥは、具体的にはＵＥの物理層は対応するＮ個のＲＳの信号品質を測定する必要がある。ＵＥは、各ＲＬＭ評価周期内で測定した測定結果を平均にし、平均した結果を対応する閾値と比較し、比較結果に基づき、ＵＥの上層にＩＳ／ＯＯＳの指示をレポートする。このプロセスはＲＬＭと呼ぶ。一部の場合では、評価周期内でのある結果は、平均計算に使用することができない。ここで、これら平均計算に使用できない測定結果を無効測定結果と呼ぶ。平均の計算に使用できる測定結果を有効測定結果と呼ぶ。本実施例はすべて有効測定結果を対象とする。
【００２１】
本実施例によれば、前記移動端末で実行する信号品質のレポート方法を提供する。図２は本発明実施例に係る信号品質のレポート方法のフローチャートである。図２に示すように、このフローチャートは以下のステップを含む。
【００２２】
ステップＳ１０２：無線リンクモニタリング（Ｒａｄｉｏ  Ｌｉｎｋ  Ｍｏｎｉｔｏｒｉｎｇ、ＲＬＭ）の評価周期内でかつ測定信号が変化する時刻前の測定信号、及び／又は、ＲＬＭ評価周期内で変化した測定信号の信号品質を測定する。
【００２３】
ステップＳ１０４：測定した信号品質を、予め設定した閾値と比較する。
【００２４】
ステップＳ１０６：比較結果に基づき、同期ＩＳ又は非同期ＯＯＳ指示を生成しレポートする。
【００２５】
前記ステップＳ１０２からステップＳ１０６により、ＲＬＭの評価周期内でサービスビームが変化する時刻前の測定信号、及び／又は、ＲＬＭ評価周期内で変化したサービスビームの測定信号を測定し、すなわち、変化した測定信号の信号品質を測定することができるため、測定した信号品質を、予め設定した閾値と比較し、比較結果に基づき、同期ＩＳ又は非同期ＯＯＳ指示を生成しレポートすることで、ある時間帯においてＵＥに割り当てられるサービスビームが変化した信号品質を取得できないことに起因して上層に正確な指示をレポートすることができないという問題を解決し、関連技術の空白を埋めた。
【００２６】
なお、ステップＳ１０２〜Ｓ１０６を実行する通信エンティティはＵＥであり、具体的には、ＵＥの物理層である。好ましい実施例において、前記信号品質のレポート方法におけるレポートの具体的な方法は、ＵＥの物理層が同期ＩＳ指示又は非同期ＯＯＳ指示をＵＥの上層にレポートすることである。
【００２７】
なお、本実施例に係る上層は論理エンティティであり、端末側にある。ネットワーク側のエンティティには基地局、進化型基地局、中継局、道路側局などが含まれる。以下、統一に「ネットワーク側」で代替する。
【００２８】
また、本実施例のＲＬＭ測定に使用されるＲＳに変化が生じる理由は、ＵＥサービスビームの切り替えによって測定するＲＳのセットを更新する必要がある理由１と、ビーム障害のリカバリーが必要で、ビームリカバリー後に通常ＲＬＭ測定のＲＳを更新する理由２とを含む。以下、２種の状況に結び付けて本実施例の態様について詳しく説明する。
【００２９】
理由１：ＵＥの測定信号セットを更新する過程において、ＲＬＭ評価周期内での測定信号が変化する時刻前の測定信号とは、測定信号セットが更新する時刻前かつＲＬＭ評価周期内での測定信号セットであり、ＲＬＭ評価周期内で変化した測定信号とは、測定信号セットが更新した後かつＲＬＭ評価周期内での測定信号セットである。
【００３０】
測定信号セットの更新プロセスについて、関連技術において、通常の場合では、ＵＥは周期的にサービスビーム（測定信号に対応する）の信号品質を確認する以外、ＵＥは非サービスビームに対応する測定信号をさらに確認し、周期的又は非周期的に測定結果をネットワーク側にレポートする必要があり、ネットワーク側はＵＥから送信した測定報告を受信した後、ＵＥに相応する指示を送信する。該指示は、ＵＥに更新したサービスビーム又は測定信号をレポートするために用いられる。このプロセスは、ビーム管理と呼ぶ。
【００３１】
ＵＥはネットワーク側の指示を受信した後、更新したサービスビームに対応するＲＳ（参考信号）をＲＬＭに使用する。ビーム管理により、サービスビームの信号品質が弱くなるとき、あるいは、他のビームが通信要求を満たすとき、ネットワーク側は通信品質を満たさないサービスビームを迅速にサービスビームセットから除去するか、又は他の通信要求を満たすビームをサービスビームセットに取り入れることが可能となる。
【００３２】
ビーム管理の存在で、あるＲＬＭ評価周期内に割り当てられるＮ個のサービスビームセットに変化が発生した場合、ＵＥ測定のＲＳもそれに付随して変化することで、測定したＲＳはＵＥのサービスビームに対応することを保証する。サービスビームセットの変化時刻前のビームを旧ビームセットと呼び、対応するＲＳを旧ＲＳ（前記理由１におけるサービスビームセットの更新時刻前かつ前記ＲＬＭ評価周期内でのサービスビームセットに対応する）と呼ぶ。サービスビームセットの変化時刻後のビームを新ビームセットと呼び、対応するＲＳを新ＲＳ（前記理由１におけるサービスビームセットの更新時刻後かつ前記ＲＬＭ評価周期内でのサービスビームセットに対応する）と呼ぶ。なお、新サービスビームセットと旧サービスビームセットには同じビームが存在する可能性がある。
【００３３】
理由２：ビーム障害のリカバリー過程において、ＲＬＭ評価周期内での測定信号が変化する時刻前の測定信号とは、ビーム障害のリカバリーの成功時刻前かつＲＬＭ評価周期内でビーム障害が発生した測定信号であり、ＲＬＭ評価周期内で変化した測定信号とは、ＲＬＭ評価周期内でビーム障害のリカバリーが成功した測定信号である。
【００３４】
ビームリカバリーの過程とは、すべてのサービスビームの信号品質が弱くなり、ＵＥの正常の通信（通常設定した閾値に下回る）を保証できなくなり、即ちサービスビームの障害が発生した場合、ＵＥは設定したリソース上で新たなビームを識別することである。ＵＥは新たなビームが通信条件を満たすと識別した場合、ＵＥはネットワーク側にビームの障害リカバリーの請求を送信し、通常通信を継続するようにビームのリカバリーを請求する。通常、ビーム障害のリカバリー請求には、新たなビーム情報が含まれる。ネットワーク側は、ビーム障害のリカバリー請求の情報を受信した後、ＵＥに相応するフィードバックを送信する。そのフィードバックにおいて、ＵＥに対して新たなサービスビームを承認する。ＵＥがネットワーク側から送信したビーム障害のリカバリー請求のフィードバックを受信することは、サービスビームのリカバリーが成功したことを意味する。
【００３５】
あるＲＬＭ評価周期内で、サービスビームのリカバリーが成功したことは、通信要求を満たす新たなビームが存在することを意味する。この時、ＵＥはリカバリー成功したビームに対応するＲＳを測定する必要がある。ビームリカバリーの成功時刻前にＵＥが測定したＲＳを旧ＲＳと呼ぶ（前記理由２において、新たなサービスビームを識別する前かつ前記ＲＬＭ評価周期内で障害が発生したサービスビーム、及び、サービスビームのリカバリーが成功する前かつ前記ＲＬＭ評価周期内で障害が発生したサービスビームに対応する）。ビームリカバリーが成功した後、ＵＥが新たに測定したＲＳを新ＲＳと呼ぶ（前記理由２において、ＲＬＭ評価周期内に識別する新たなサービスビームに対応する）。なお、新サービスビームセットと旧サービスビームセットには同じビームが存在する可能性がある。
【００３６】
なお、ビーム障害リカバリーに使用される信号品質測定の基準はＲＬＭで使用される信号品質測定の基準と同じである場合がある。たとえば、両者はいずれもリファレンス信号受信電力（ＲＳＲＰ）又は信号対干渉プラス雑音電力比（ＳＩＮＲ）を使用する。ビーム障害リカバリーに使用される信号品質測定の基準はＲＬＭで使用される信号品質測定の基準と異なる場合もある。
【００３７】
さらに、理由２において、ビーム障害リカバリーの過程において、リカバリー成功したビームは障害が発生したビームと同じである場合、ＲＬＭ評価周期内でビームのリカバリーが成功した測定信号とは、以下のとおりである。
【００３８】
障害発生時刻がＲＬＭ評価周期外である場合、ＲＬＭ評価周期内かつビームリカバリーの成功時刻後の測定信号である。
【００３９】
障害発生時刻がＲＬＭ評価周期内である場合、ＲＬＭ評価周期内かつ障害発生時刻前とＲＬＭ評価周期内かつビームリカバリーの成功時刻後の測定信号である。
【００４０】
すなわち、リカバリー成功したビームとその前のサービスビームは同じである場合、リカバリー成功したビームの該ＲＬＭ評価周期内での有効測定結果は、リカバリー成功したビームの障害発生時刻前の測定結果及びビームのリカバリーが成功した時刻後の測定結果である。
【００４１】
以下、図３を用いて前記状況を例として説明する。
【００４２】
図３は本発明実施例に係る１つのＲＬＭ評価周期内において、サービスビームを測定する第１模式図である。図３に示すように、ＲＳ  １とＲＳ  ２はＲＬＭに使用され、それぞれビーム１とビーム２に対応する。仮にｔ３時刻にビーム障害が発生してｔ５時刻にビーム１がリカバリー成功したとすれば、ＲＬＭ周期内におけるＲＳ１の有効測定結果は、ＲＳ１でのｔ５〜ｔ２時間内の測定結果を含む。仮にｔ４時刻にビーム障害が発生してｔ５時刻にビーム１がリカバリー成功したとすれば、ＲＬＭ周期内におけるＲＳ１の有効測定結果は、ＲＳ１でのｔ１〜ｔ４時間内及びｔ５〜ｔ２時間内の測定結果を含む必要がある。
【００４３】
本実施例に係る好ましい実施形態において、本実施例のステップＳ１０２に言及したユーザー装置ＵＥが１つのＲＬＭ評価周期内での測定信号の信号品質を測定する態様には、下記の態様が含まれる。
【００４４】
態様１：ＵＥは自体の１つ又は複数の測定信号のＲＬＭ評価周期内での複数指定時刻の信号品質を取得し、各測定信号の複数指定時刻の信号品質の平均を算出し、平均した結果を１つ又は複数の測定信号に対応する測定した前記信号品質とする。
【００４５】
態様２：ＵＥは自体の１つ又は複数の測定信号のＲＬＭ評価周期内での複数指定時刻の信号品質を取得し、得られた信号品質から各指定時刻の最大信号品質を確定し、前記ＵＥは確定したすべての最大信号品質の平均を算出し、平均した結果を測定した信号品質とする。
【００４６】
前記態様１と態様２について、本実施例の具体的な応用シナリオにおいて、態様１は、１つのＲＬＭ評価周期内の各測定ＲＳでの有効測定結果の平均を計算し、その平均結果を該周期内での各測定ＲＳの信号品質としてもよく、態様２は、１つのＲＬＭ評価周期内での各測定時刻にすべての測定ＲＳの有効測定結果の最大値を探し出し、各時刻の最大値の平均を計算し、その計算結果を該評価周期の信号品質の最良値としてもよい。ある測定時刻にすべての測定ＲＳは有効測定結果がない場合、その測定時刻は有効測定結果がないこととなる。
【００４７】
以下、図４を用いて前記状況を例として説明する。図４は本発明実施例に係る１つのＲＬＭ評価周期内において、サービスビームを測定する第２模式図である。図４に示すように、ＲＳ１〜ＲＳ４はそれぞれビーム１〜ビーム４に対応する。ＲＬＭ評価周期ｔ１〜ｔ２の時間内において、ＲＳ１の測定結果は順番にＳ１０〜Ｓ１９で、且つｔ３〜ｔ４時間内の測定結果は有効測定結果である。ＲＳ２の測定結果は順番にＳ２０〜Ｓ２９で、且つｔ４〜ｔ２時間内の測定結果は有効測定結果である。ＲＳ３の測定結果は順番にＳ３０〜Ｓ３９で、且つｔ１〜ｔ４時間内の測定結果は有効測定結果である。ＲＳ４の測定結果は順番にＳ４０〜Ｓ４９で、且つｔ１〜ｔ３とｔ４〜ｔ２時間内の測定結果は有効測定結果である。
【００４８】
そのため、態様１で得られる各ビームの信号品質は以下のとおりである。
【００４９】
ビーム１の信号品質：Sbeam1=(S12+S13+S14+S15+S16)/5
【００５０】
ビーム２の信号品質：Sbeam2=(S27+S28+S29)/3
【００５１】
ビーム３の信号品質：Sbeam3=(S30+S31+S32+S33+S34+S35+S36)/7
【００５２】
ビーム４の信号品質：Sbeam4=(S40+S41+S47+S48+S49)/5
【００５３】
ビーム１〜４の信号品質はすべて閾値Ｑ＿ｏｕｔより小さい場合、物理層はＯＯＳを生成し、上層にＯＯＳをレポートする。１つのビームの信号品質は閾値Ｑ＿ｉｎより大きい場合、物理層はＩＳを生成し、上層にＩＳをレポートする。
【００５４】
閾値Ｑ＿ｏｕｔは閾値Ｑ＿ｉｎより小さいことを理解できる。閾値Ｑ＿ｏｕｔと閾値Ｑ＿ｉｎの具体的な値とその値の範囲はＵＥの処理能力に関わる。具体的には、ハードウェア及び／又はソフトウェアの処理能力に関わる。閾値Ｑ＿ｏｕｔは第１閾値で、閾値Ｑ＿ｉｎは第２閾値である。
【００５５】
態様２で得られる該評価周期内の信号品質の最良値は以下のとおりである。
【００５６】
Smax=[max(S30,S40)+max(S31,S41)+max(S12,S32)+…+max(S29,S49)]/10
【００５７】
Ｓｍａｘは、閾値Ｑ＿ｏｕｔより小さい場合、物理層は上層にＯＯＳをレポートする。閾値Ｑ＿ｉｎより大きい場合、物理層は上層にＩＳをレポートする。
【００５８】
前記態様１と態様２により、理由１の場合、信号品質測定の態様は、測定信号セットを更新する過程において、測定信号セットの更新時刻前かつＲＬＭ評価周期内での測定信号セット及び測定信号セットの更新時刻後かつＲＬＭ評価周期内での測定信号セットを、態様１及び態様２の信号品質測定の対象とし、あるいは、ＵＥの測定信号セットを更新する過程において、測定信号セットの更新時刻後かつＲＬＭ評価周期内での測定信号セットを、態様１及び態様２の信号品質測定の対象とすることである。
【００５９】
前記理由１に基づいて具体的な応用シナリオの詳細を説明する。前記理由１の状況の場合、信号品質測定の態様は具体的な応用シナリオにおいて下記のとおりであってもよい。
【００６０】
（一）旧ＲＳのビームセットの変化時刻前の測定結果を有効測定結果とし、新ＲＳの該周期内でのすべての測定結果を有効測定結果とし、実施例の態様１と態様２の計算方法を使用して計算する。
【００６１】
（二）新ＲＳの該周期内でのすべての測定結果を有効測定結果とし、実施例の態様１と態様２の計算方法を使用して計算する。
【００６２】
これに対し、前記理由１及び図５により、具体的な信号品質の測定態様を例として説明する。図５は本発明実施例に係る１つのＲＬＭ評価周期内において、サービスビームを測定する第３模式図である。図５に示すように、ＲＳ１〜ＲＳ４上で送信したのは、それぞれビーム１〜ビーム４である。基地局はビーム１とビーム２を信号受信用のサービスビームとしてＵＥに割り当てる。そのため、ＵＥはＲＳ１とＲＳ２を測定する必要がある。ｔ１〜ｔ２の時間帯は１つのＲＬＭ評価周期である。ＲＳ１の信号は弱くなるため、ｔ３時刻にネットワーク側はＵＥの測定のためにより多いＲＳを割り当てる。さらに、ＵＥは測定結果をネットワーク側にレポートし、ネットワーク側は、測定結果に基づき、ｔ４時刻にビーム２〜４をサービスビームとしてＵＥに割り当てる。ビーム１はもはやＵＥのサービスビームではない。そのため、ｔ４時刻後、ＵＥはＲＳ２、ＲＳ３とＲＳ４の信号品質を測定する必要がある。該評価周期内での有効測定結果は以下のとおりであってもよい。
【００６３】
１）ＲＳ１のｔ１〜ｔ４時間内の測定結果、ＲＳ２のｔ１〜ｔ２時間内の測定結果、ＲＳ３とＲＳ４のｔ３〜ｔ２時間内の全測定結果を有効測定結果にし、実施例の方法１と方法２の計算方法により、該周期内での信号品質を算出する。
【００６４】
２）ＲＳ２のｔ１〜ｔ２時間内の測定結果、ＲＳ３とＲＳ４のｔ３〜ｔ２時間内の全測定結果を有効測定結果にし、実施例の方法１と方法２の計算方法により、該周期内での信号品質を算出する。
【００６５】
３）ＲＳ１のｔ１〜ｔ４時間内の測定結果、ＲＳ２のｔ１〜ｔ２時間内の測定結果、ＲＳ３とＲＳ４のｔ４〜ｔ２時間内の全測定結果を有効測定結果にし、実施例の方法１と方法２の計算方法により、該周期内での信号品質を算出する。
【００６６】
４）ＲＳ２のｔ１〜ｔ２時間内の測定結果、ＲＳ３とＲＳ４のｔ４〜ｔ２時間内の全測定結果を有効測定結果にし、実施例の方法１と方法２の計算方法により、該周期内での信号品質を算出する。
【００６７】
前記態様１と態様２に基づき、理由２の場合は、信号品質測定の態様は以下のとおりである。
【００６８】
ビーム障害リカバリーの過程において、ビームリカバリーの成功時刻前かつＲＬＭ評価周期内で障害が発生したビームの測定信号、及びＲＬＭ評価周期内でビームのリカバリーが成功した前記測定信号を、態様１及び態様２の信号品質測定の対象とし、あるいは、ＲＬＭ評価周期内でビームのリカバリーが成功した測定信号を、態様１及び態様２の信号品質測定の対象とする。
【００６９】
前記理由２に基づいて具体的な応用シナリオの詳細を説明する。前記理由２の状況の場合、信号品質測定の態様は具体的な応用シナリオにおいて下記のとおりであってもよい。
【００７０】
１）旧ＲＳのビーム障害のリカバリー成功時刻前の測定結果を有効測定結果とし、新ＲＳの該周期内ですべての測定結果を有効測定結果とし、上述した態様１と態様２の計算方法を使用して該周期の信号品質を計算する。
【００７１】
２）新ＲＳの該周期内ですべての測定結果を有効測定結果とし、上述した態様１と態様２の計算方法を使用して該周期の信号品質を計算する。
【００７２】
以下、図６に結び付けて前記理由２における信号測定の態様を例として説明する。図６は本発明実施例に係る１つのＲＬＭ評価周期内において、サービスビームを測定する第４模式図である。図６に示すように、ＲＳ１〜ＲＳ３上で送信したのは、それぞれビーム１〜ビーム３である。基地局はビーム１とビーム２を信号受信用のサービスビームとしてＵＥに割り当てる。そのため、ＵＥはＲＳ１とＲＳ２を測定する必要がある。ｔ３時刻前に、ＵＥはビームの障害を検知し、新たなビームの識別を開始する。ｔ３時刻に、ＵＥは新たなビーム３が通信要求を満たすことを検知し、ＵＥはネットワーク側にビーム障害のリカバリー請求を送信する。ｔ４時刻にネットワーク側のフィードバックを受信し、すなわち、ｔ４時刻にビームリカバリーが成功した。ｔ４時刻後、ＵＥはＲＳ３を測定する必要がある。そのため、該ＲＬＭ評価周期の信号品質は以下の２種の態様で得られる。
【００７３】
１）ＲＳ１とＲＳ２のｔ１〜ｔ３時間内の測定結果、及び、ＲＳ３のｔ３〜ｔ２時間内の測定結果を有効測定結果にし、上述した方法１と方法２の計算方法により、該周期内での信号品質を算出する。
【００７４】
２）ＲＳ１とＲＳ２のｔ１〜ｔ４時間内の測定結果、及び、ＲＳ３のｔ３〜ｔ２時間内の測定結果を有効測定結果にし、上述した方法１と方法２の計算方法により、該周期内での信号品質を算出する。
【００７５】
３）ＲＳ３のｔ３〜ｔ２時間内の測定結果を有効測定結果にし、上述した方法１と方法２の計算方法により、該周期内での信号品質を算出する。
【００７６】
４）ＲＳ１とＲＳ２のｔ１〜ｔ３時間内の測定結果、及び、ＲＳ３のｔ４〜ｔ２時間内の測定結果を有効測定結果にし、上述した方法１と方法２の計算方法により、該周期内での信号品質を算出する。
【００７７】
５）ＲＳ１とＲＳ２のｔ１〜ｔ４時間内の測定結果、及び、ＲＳ３のｔ４〜ｔ２時間内の測定結果を有効測定結果にし、上述した方法１と方法２の計算方法により、該周期内での信号品質を算出する。
【００７８】
６）ＲＳ３のｔ４〜ｔ２時間内の測定結果を有効測定結果にし、上述した方法１と方法２の計算方法により、該周期内での信号品質を算出する。
【００７９】
ビームリカバリー過程で使用される信号品質の測定基準はリンク品質の測定に使用される信号品質の測定基準と異なる場合、たとえば、ビームリカバリー過程で信号のＲＳＲＰを使用し、リンク品質の測定には信号のＳＩＮＲを使用した場合、ｔ３〜ｔ４の時間帯において、ＵＥはＳＩＮＲの測定を開始しておらず、該ＲＬＭ評価周期内での信号品質は以下の態様で得られる。
【００８０】
７）ＲＳ１とＲＳ２のｔ１〜ｔ４時間内の測定結果、及び、ＲＳ３のｔ４〜ｔ２時間内の測定結果を有効測定結果にし、上述した方法１と方法２の計算方法により、該周期内での信号品質を算出する。
【００８１】
８）ＲＳ１とＲＳ２のｔ１〜ｔ３時間内の測定結果、及び、ＲＳ３のｔ４〜ｔ２時間内の測定結果を有効測定結果にし、上述した方法１と方法２の計算方法により、該周期内での信号品質を算出する。
【００８２】
９）ＲＳ３のｔ４〜ｔ２時間内の測定結果を有効測定結果にし、上述した方法１と方法２の計算方法により、該周期内での信号品質を算出する。
【００８３】
ビームリカバリー過程で使用される信号品質の測定基準はリンク品質の測定に使用される信号品質の測定基準と異なる場合、もう一種のＵＥの測定態様は以下のとおりである。新たな使用可能なビームを識別した後、ＵＥは新たなビームに対してＲＬＭ測定を周期的に行う。すなわち、ｔ３時刻後、ＵＥはＲＳ３のＳＩＮＲを同時に周期的に測定し始める。そのため、該ＲＬＭ評価周期内でＲＳ３のｔ３〜ｔ４時間内の測定結果も該周期内での有効測定結果となる。この場合では、該ビームについて、ビーム障害リカバリーが成功した場合だけ、ビームのリカバリーが成功した前のＲＬＭ測定結果を有効測定結果とし、周期的な信号品質の計算に使用することを注意すべきである。該ビームは最終的にリカバリーが成功していない場合、該ビーム上のＲＬＭ測定結果が無効測定結果になり、ＲＬＭ信号品質の計算に使用されない。すなわち、ビーム３に、ｔ４時刻にビーム障害リカバリーが成功した場合だけ、ＲＳ３のｔ３〜ｔ４時間内の測定結果が有効測定結果になる。ｔ２時刻になっても、ビーム障害のリカバリーが依然として成功していない場合、Ｒ３のｔ３〜ｔ２時間内の測定結果が依然として無効測定結果になり、該周期内での信号品質の計算に使用されない。
【００８４】
なお、ＵＥの測定信号がビーム更新又はビーム障害リカバリーで使用した信号と同じである場合、ＵＥの測定信号のリソースは、ビーム更新又はビーム障害リカバリーのリソースのサブセットである。
【００８５】
前記理由１に基づき、本実施例の方法は、ＵＥがビーム変化の時刻にネットワーク側から送信したビーム割り当ての更新指示シグナリングを受信することをさらに含む。指示シグナリングは測定信号リソースの更新を指示するために用いられ、指示シグナリングの指示態様は、明示式指示と不明示式指示を含み、明示式指示とはシグナリングによって明確的に更新した測定信号リソースを指示することであり、不明示式指示とはシグナリングの特徴情報によって更新した測定信号リソースを指示することである。指示シグナリングは、無線リソースコントロール（Ｒａｄｉｏ  Ｒｅｓｏｕｒｃｅ  Ｃｏｎｔｒｏｌ、ＲＲＣ）シグナリング、メディアアクセスコントロール層（Ｍｅｄｉａ  Ａｃｃｅｓｓ  Ｃｏｎｔｒｏｌ、ＭＡＣ）のコントロールシグナリングのＭＡＣコントロールエレメント（Ｃｏｎｔｒｏｌ  Ｅｌｅｍｅｎｔ、ＣＥ）、物理層のコントロールシグナリングのダウンリンクコントロール情報（Ｄｏｗｎｌｉｎｋ  ｃｏｎｔｒｏｌ  ｉｎｆｏｒｍａｔｉｏｎ、ＤＣＩ）であってもよい。
【００８６】
具体的な応用シナリオにおいて、ＲＬＭとビーム管理は異なるＲＳを使用する場合、ＲＬＭ  ＲＳを更新する方法であってもよい。
【００８７】
ＲＬＭとビーム管理は異なるＲＳを使用する場合、ＵＥのサービスビームの更新が発生したときに、ＵＥへ送信したビーム更新の指示において、ネットワーク側は同時にＲＬＭの更新したＲＳリソースを指示する。そのレポート態様は、明示式指示と不明示式指示の２種類を含む。明示式指示とは情報によって明確的にＵＥに新たなＲＳの情報をレポートすることであり、不明示式指示とは他の一部の特徴によって新たなＲＳの情報をレポートすることである。
【００８８】
以下、図７に結び付けて前記更新の過程を例として説明する。図７は本発明実施例に係る１つのＲＬＭ評価周期内において、サービスビームを測定する第５模式図である。図７に示すようにＲＳ  Ａ１〜ＲＳ  Ａ３はビーム管理に使用される。ＲＳ  Ｂ１〜ＲＳ  Ｂ３はＲＬＭに使用される。さらに、ＲＳ  Ａ１とＲＳ  Ｂ１は全部ビーム１に対応する。ＲＳ  Ａ２とＲＳ  Ｂ２は全部ビーム２に対応する。上記のとおりに類推する。ｔ４時刻に、ネットワーク側はＵＥへシグナリング指示を送信し、ＵＥの物理ダウンリンクコントロールチャンネル（Ｐｈｙｓｉｃａｌ  Ｄｏｗｎｌｉｎｋ  Ｃｏｎｔｒｏｌ  ＣＨａｎｎｅｌ、ＰＤＣＣＨ）及び／又は物理ダウンリンクシェアドチャンネル（Ｐｈｙｓｉｃａｌ  Ｄｏｗｎｌｉｎｋ  Ｓｈａｒｅｄ  ＣＨａｎｎｅｌ、ＰＤＳＣＨ）における復調参考信号（ＤｅＭｏｄｕｌａｔｉｏｎ  Ｒｅｆｅｒｅｎｃｅ  Ｓｉｇｎａｌ、ＤＭＲＳ）とＲＳ  Ａ３は空間で準コーロケション（Ｑｕａｓｉ−ｃｏｌｌｏｃａｔｉｏｎ、ＱＣＬ）関係があることを指示する。ＵＥにサービスビームがビーム３であることをレポートすることに相当する。そのため、該指示はＲＳ  Ｂ３の設定、たとえば、時間周波数位置、図形、周期、リソースインデックスなどを同時に含む。ＵＥ  ＲＳ  Ｂ３はＵＥの新たなＲＬＭ  ＲＳとなる。
【００８９】
ネットワーク側は事前にＵＥへＲＬＭに使用されるＲＳのリソース、ＲＬＭ  ＲＳと他のＲＳの対応関係又はＲＬＭ  ＲＳとビーム間の関係をレポートする。たとえば、ＲＳ  Ａ１はＲＳ  Ｂ１に対応する。ＲＳ  Ａ２はＲＳ  Ｂ２に対応する。ＲＳ  Ａ３はＲＳ  Ｂ３に対応する。対応関係があるＲＳは、同じビームを送信する。あるいは、ＲＳ  Ａ１とＲＳ  Ｂ１は同様にビーム１に対応する。ＲＳ  Ａ２とＲＳ  Ｂ２は同様にビーム２に対応する。ＲＳ  Ａ３とＲＳ  Ｂ３は同様にビーム３に対応する。時刻ｔ４にネットワーク側がＵＥへシグナリング指示を送信し、ＵＥのＰＤＣＣＨ及び／又はＰＤＳＣＨにおけるＤＭＲＳとＲＳ  Ａ３は空間でＱＣＬの関係があることを指示する。ＵＥにサービスビームがビーム３であることをレポートすることに相当する。ＵＥはネットワーク側の事前レポートの関係により、ｔ３時刻からＲＬＭ用のＲＳがＲＳ  Ｂ３であることを得る。そのため、ネットワーク側は新たなＲＬＭ用のＲＳを別途に指示する必要がなく、ＵＥは切り替えたＲＳ又はビームで新たなＲＬＭ用のＲＳを判断する。
【００９０】
前記理由２に基づき、本実施例に係る好ましい実施形態において、本実施例の方法は、ＵＥがビーム障害リカバリー成功の時刻にネットワーク側から送信したビーム障害リカバリーの成功指示シグナリングを受信し、指示シグナリングは測定信号リソースの更新を指示するために用いられ、ビーム障害のリカバリー成功指示シグナリングは測定信号リソースの更新を指示し、指示シグナリングの指示態様は、明示式指示と不明示式指示を含み、明示式指示とはシグナリングによって明確的に更新した測定信号リソースを指示することであり、不明示式指示とはシグナリングの特徴情報によって更新した測定信号リソースを指示することである。ビーム障害リカバリーの成功指示シグナリングはＲＲＣシグナリング、ＭＡＣ  ＣＥ、あるいはＤＣＩであってもよい。
【００９１】
具体的な実施形態において、ビームリカバリーが成功した後に、ネットワーク側はＵＥにＲＬＭ用のＲＳをレポートし、該ＲＳはＵＥの新たなビームに対応する。すなわち、ネットワーク側はＵＥへ送信したフィードバックによってＵＥに新たなＲＳリソースをレポートする。その指示態様は、明示式指示と不明示式指示の２種類を含む。明示式指示とは情報によって明確的にＵＥに新たなＲＳの情報をレポートすることであり、不明示式指示とは他の一部の特徴によって新たなＲＳの情報をレポートすることである。
【００９２】
以下、図８に結び付けて前記障害リカバリーの態様を例として説明する。図８は本発明実施例に係る１つのＲＬＭ評価周期内において、サービスビームを測定する第６模式図である図８に示すようにＲＳ  Ａ１〜ＲＳ  Ａ３はビームリカバリーに使用される。ＲＳ  Ｂ１〜ＲＳ  Ｂ３はＲＬＭに使用される。さらに、ＲＳ  Ａ１とＲＳ  Ｂ１は全部ビーム１に対応する。ＲＳ  Ａ２とＲＳ  Ｂ２は全部ビーム２に対応する。上記のとおりに類推する。ｔ４時刻に、ネットワーク側はＵＥへビーム障害リカバリー請求のフィードバックを送信する。そのフィードバックレポートで、ＵＥにビーム３のリカバリー成功をレポートする。ネットワーク側はＵＥへ送信したフィードバックにおいてＲＳ  Ｂ３の設定、たとえば、時間周波数位置、図形、周期、リソースインデックスなどを同時に含む。ＵＥ  ＲＳ  Ｂ３はＵＥの新たなＲＬＭ  ＲＳとなる。
【００９３】
ネットワーク側は事前にＵＥへＲＬＭに使用されるＲＳのリソース、ＲＬＭ  ＲＳと他のＲＳの対応関係又はＲＬＭ  ＲＳとビーム間の関係をレポートする。
たとえば、ＲＳ  Ａ１はＲＳ  Ｂ１に対応する。ＲＳ  Ａ２はＲＳ  Ｂ２に対応する。ＲＳ  Ａ３はＲＳ  Ｂ３に対応する。対応関係があるＲＳは、同じビームを送信する。
あるいは、ＲＳ  Ａ１とＲＳ  Ｂ１は同様にビーム１に対応する。ＲＳ  Ａ２とＲＳ  Ｂ２は同様にビーム２に対応する。ＲＳ  Ａ３とＲＳ  Ｂ３は同様にビーム３に対応する。ｔ４時刻にネットワーク側がＵＥへビームリカバリー請求のフィードバックを送信し、そのフィードバックでＵＥにビーム３がリカバリー成功したことをレポートする。ＵＥはネットワーク側の事前レポートの対応関係により、ＲＬＭ用のＲＳがＲＳ  Ｂ３であることを得る。そのため、ネットワーク側はフィードバックをＵＥへ送信する際に新たなＲＬＭ用のＲＳを別途にレポートする必要がなく、ＵＥは切り替えたＲＳ又はビームで新たなＲＬＭ用のＲＳを判断する。
【００９４】
本実施例の好ましい実施形態において、本実施例のステップＳ１０６に対して、態様１を採用する場合、ＵＥ、具体的には物理層は比較結果に基づき、上層に同期ＩＳ又は非同期ＯＯＳ指示をレポートすることは、平均したすべての結果が予め設定した第１閾値より小さい場合、ＵＥは上層にＯＯＳ指示をレポートし、平均したすべての結果における少なくとも１つの結果が予め設定した第２閾値以上である場合、ＵＥは上層にＩＳ指示をレポートすることを含む。
【００９５】
態様２を採用する場合、ＵＥ、具体的には物理層は比較結果に基づき、上層に同期ＩＳ又は非同期ＯＯＳ指示をレポートすることは、平均した結果が予め設定した第１閾値より小さい場合、ＵＥは上層にＯＯＳ指示をレポートし、平均した結果が予め設定した第２閾値以上である場合、ＵＥは上層にＩＳ指示をレポートすることを含む。
【００９６】
ここで、第１閾値と第２閾値の具体的な値又は値の範囲はＵＥの処理能力に関わる。具体的には、ハードウェア及び／又はソフトウェアの処理能力に関わる。第１閾値は第２閾値より小さい。
【００９７】
さらに、本実施例の方法は、ビーム障害のリカバリー成功の時刻に、ＵＥ、具体的には物理層はＩＳ指示をレポートし、ＩＳ指示をレポートする時刻から、ビームのリカバリーが成功した測定信号を測定することを含んでもよい。
【００９８】
前記ビームのリカバリーが成功した時刻にレポートする態様に基づき、ビーム障害のリカバリー成功時刻は、ＵＥが比較結果に基づく同期ＩＳ又は非同期ＯＯＳ指示の生成時刻もしくは同期ＩＳ又は非同期ＯＯＳ指示のレポート時刻と同じである場合、ＵＥは該時刻から１つの時間間隔をずらして、ＩＳ指示をレポートする。さらに、ＩＳ指示のレポート時刻から、ビームのリカバリーが成功した測定信号を測定する。
【００９９】
本実施例の具体的な応用シナリオにおいて、本態様は、ＵＥ、具体的には物理層はＲＬＭ評価結果に基づいて周期的に上層にＩＳ／ＯＯＳ指示をレポートし、あるＲＬＭ評価周期内にビーム障害がリカバリー成功した場合、ビーム障害のリカバリー成功の時刻に、物理層は上層にＩＳ指示をレポートし、該時刻からＵＥはビームのリカバリーが成功したＲＳを測定し、該時刻を開始点として周期的に上層にＩＳ／ＯＯＳ指示をレポートすることを含んでも良い。ビーム障害のリカバリー成功時刻は、ちょうどＩＳあるいはＯＯＳ指示のレポート時刻と同じである場合、ＵＥは該時刻から１つの時間間隔をずらして、ＩＳ指示をレポートするか、あるいは、ＵＥは該時刻にＩＳ／ＯＯＳ指示をレポートせず、該時刻から１つの時間間隔をずらして、上層にＩＳ指示をレポートし、ＩＳ指示のレポート時刻から、ＵＥはビームのリカバリーが成功したＲＳを測定し、該時刻を開始点として周期的に上層にＩＳ／ＯＯＳ指示をレポートする。
【０１００】
以下、図９と図１０に結び付けて、指示をレポートする前記態様を例として説明する。図９は本発明実施例に係る１つのＲＬＭ評価周期内において、サービスビームを測定する第７模式図である。図９に示すように、ＵＥはｔ１、ｔ２、ｔ３の時刻に周期的にＩＳ／ＯＯＳをレポートし、３つ目の周期において、すなわち、ｔ３〜ｔ５の時間帯内で、ｔ４時刻にＵＥのビームリカバリーが成功した場合、ＵＥはｔ３〜ｔ４の時間帯内のＲＬＭ測定結果を考慮せずにｔ４時刻に上層にＩＳ指示をレポートし、ｔ４を開始点にしてＵＥはビームのリカバリーが成功したＲＳを測定し、ＲＬＭ評価結果に基づき、周期的に上層にＩＳ／ＯＯＳ指示をレポートする。
【０１０１】
図１０は本発明実施例に係る１つのＲＬＭ評価周期内において、サービスビームを測定する第８模式図である。図１０に示すように、ＵＥはｔ４時刻にビームのリカバリーが成功し、同時に、ｔ４時刻はＩＳ／ＯＯＳ指示をレポートする時間である場合、ｔ４時刻にＩＳ／ＯＯＳ指示をレポートせず、ｔ４後の１つの時間間隔、たとえばｔ５時刻にｔ３〜ｔ５の時間帯内のＲＬＭ測定結果を考慮せずに、上層にＩＳ指示をレポートし、ｔ５を開始点にしてＵＥはビームのリカバリーが成功したＲＳを測定し、ＲＬＭ評価結果に基づき、周期的に上層にＩＳ／ＯＯＳ指示をレポートする。あるいは、ＵＥはｔ４時刻にｔ３〜ｔ４時刻内のＲＬＭ測定結果に基づいて正常にＩＳ／ＯＯＳ指示をレポートし、ｔ４後の１つの時間間隔、たとえばｔ５時刻にｔ４〜ｔ５の時間帯内のＲＬＭ測定結果を考慮せずに、上層にＩＳ指示をレポートし、ｔ５を開始点にしてＵＥはビームのリカバリーが成功したＲＳを測定し、ＲＬＭ評価結果に基づき、周期的に上層にＩＳ／ＯＯＳ指示をレポートする。
【０１０２】
前記実施形態の説明により、当業者は前記実施例の方法がソフトウェアと必要となる一般的なハードウェアプラットフォームの態様で実現でき、当然、ハードウェアのみでも実現できるが、多くの場合では、前者はより好適な実施形態であることを明瞭に理解できる。この理解に基づき、本発明の技術案は本質上あるいは従来技術に貢献できる部分はソフトウェア製品の形で具体化でき、該コンピュータソフトウェア製品は、１つの記憶媒体（たとえばＲＯＭ／ＲＡＭ、磁器ディスク、光ディスク）に記憶され、いくつかのコマンドを含んで一台の端末機器（携帯電話、コンピュータ、サーバー、あるいはネットワーク機器などであってもよい）に本発明の各実施例を実行させる。
【０１０３】
[実施例２]
本実施例は信号品質のレポート装置を提供し、該装置は前記実施例と好ましい実施形態を実現し、説明したものはここでは繰り返し説明しない。たとえば、以下で使用される用語「モジュール」は予め設定した機能を実現できるソフトウェア及び／又はハードウェアとの組み合わせであっても良い。以下の実施例で説明する装置はソフトウェアで実現するものが好適であるが、ハードウェア、あるいはソフトウェアとハードウェアの組み合わせでの実現も考えられる。
【０１０４】
図１１は本発明実施例の信号品質のレポート装置の構造の模式図である。図１１に示すように、該装置は、無線リンクモニタリングＲＬＭの評価周期内でユーザー装置ＵＥの測定信号が変化する時刻前の測定信号、及び／又は、評価周期内で変化した測定信号の信号品質を測定するように設定される測定モジュール１１０２と、測定モジュール１１０２と接続され、測定した信号品質を、予め設定した閾値と比較するように設定される比較モジュール１１０４と、比較モジュール１１０４と接続され、比較結果に基づき、同期ＩＳ指示又は非同期ＯＯＳ指示を生成しレポートするように設定される生成・レポートモジュール１１０６とを含む。
【０１０５】
好ましい実施例において、前記信号品質のレポート装置は、同期ＩＳ指示又は非同期ＯＯＳ指示をＵＥの上層にレポートするように設定されるレポートモジュールを含んでもよい。
【０１０６】
測定モジュール１１０２、比較モジュール１１０４と生成・レポートモジュール１１０６はすべてＵＥ側、具体的にはＵＥの物理層に位置することを理解できる。
【０１０７】
好ましくは、本実施例の実施形態において、本実施例は更新と障害リカバリーの過程に関する。
【０１０８】
測定信号セットを更新する過程において、ＲＬＭ評価周期内での測定信号が変化する時刻前の測定信号とは、測定信号セットが更新する時刻前かつＲＬＭ評価周期内での測定信号セットであり、ＲＬＭ評価周期内で変化した測定信号とは、測定信号セットが更新した後かつＲＬＭ評価周期内での測定信号セットである。
【０１０９】
ビーム障害のリカバリー過程において、ＲＬＭ評価周期内での測定信号が変化する時刻前の測定信号とは、ビーム障害のリカバリーの成功時刻前かつＲＬＭ評価周期内でビーム障害が発生した測定信号であり、ＲＬＭ評価周期内で変化した測定信号とは、ＲＬＭ評価周期内でビーム障害のリカバリーが成功した測定信号である。
【０１１０】
ビーム障害リカバリーの過程において、リカバリー成功したビームは障害が発生したビームと同じである場合、ＲＬＭ評価周期内でビームのリカバリーが成功した測定信号は、障害発生時刻がＲＬＭ評価周期外である場合、ＲＬＭ評価周期内かつビームリカバリーの成功時刻後の測定信号であり、障害発生時刻がＲＬＭ評価周期内である場合、ＲＬＭ評価周期内かつ障害発生時刻前とＲＬＭ評価周期内かつビームリカバリーの成功時刻後の測定信号である。
【０１１１】
好ましくは、本実施例における測定モジュール１１０２は以下の態様により測定する。
【０１１２】
態様１：ＵＥの１つ又は複数の測定信号のＲＬＭ評価周期内での複数指定時刻の信号品質を取得し、各測定信号の複数指定時刻の信号品質の平均を算出し、平均した結果を１つ又は複数の測定信号に対応する測定した前記信号品質とする。
【０１１３】
態様２：ＵＥの１つ又は複数の測定信号のＲＬＭ評価周期内での複数指定時刻の信号品質を取得し、得られた信号品質から各指定時刻の最大信号品質を確定し、確定したすべての最大信号品質の平均を算出し、平均した結果を測定した信号品質とする。
【０１１４】
前記態様１と態様２を基づいて、本実施例における測定モジュール１１０２は、さらに、測定信号セットを更新する過程において、測定信号セットの更新時刻前かつＲＬＭ評価周期内での測定信号セット及び測定信号セットの更新時刻後かつＲＬＭ評価周期内での測定信号セットを、態様１及び態様２の信号品質測定の対象とし、あるいは、ＵＥの測定信号セットを更新する過程において、測定信号セットの更新時刻後かつＲＬＭ評価周期内での測定信号セットを、態様１及び態様２の信号品質測定の対象とすることであるように設定される。
【０１１５】
好ましくは、本実施例の測定モジュールは、さらに、測定信号のリカバリー過程において、ビームリカバリーの成功時刻前かつＲＬＭ評価周期内で障害が発生したビームの測定信号、及びＲＬＭ評価周期内でビームのリカバリーが成功した前記測定信号を、態様１及び態様２の信号品質測定の対象とし、あるいは、ＲＬＭ評価周期内でビームのリカバリーが成功した測定信号を、態様１及び態様２の信号品質測定の対象とするために用いられる。
【０１１６】
なお、測定される測定信号はビーム更新又はビーム障害リカバリーで使用した信号と同じである場合、測定される測定信号のリソースは、ビーム更新又はビーム障害リカバリーのリソースのサブセットである。
【０１１７】
好ましくは、本実施例の装置は、以下のモジュールをさらに含んでもよい。
【０１１８】
測定モジュール１１０２と接続される第１受信モジュールは、ビーム変化の時刻にネットワーク側から送信した測定信号リソースの更新指示シグナリングを受信し、指示シグナリングは測定信号リソースの更新を指示するために用いられ、指示シグナリングの指示態様は、明示式指示と不明示式指示を含み、明示式指示とはシグナリングによって明確的に更新した測定信号リソースを指示することであり、不明示式指示とはシグナリングの特徴情報によって更新した測定信号リソースを指示することであるように設定される。
【０１１９】
測定モジュール１１０２と接続される第２受信モジュールは、ビーム障害リカバリー成功の時刻にネットワーク側から送信したビーム障害リカバリーの成功指示シグナリングを受信し、ビーム障害のリカバリー成功指示シグナリングは測定信号リソースの更新を指示するために用いられ、指示シグナリングの指示態様は、明示式指示と不明示式指示を含み、明示式指示とはシグナリングによって明確的に更新した測定信号リソースを指示することであり、不明示式指示とはシグナリングの特徴情報によって更新した測定信号リソースを指示することであるように設定される。
【０１２０】
好ましい実施例において、前記装置は処理モジュールをさらに含み、生成・レポートモジュール１１０６は、第１レポートサブモジュールと第２レポートサブモジュールを含む。
態様１を採用する場合、本実施例における第１レポートサブモジュールは、さらに、平均したすべての結果が予め設定した第１閾値より小さい場合、上層にＯＯＳ指示をレポートし、平均したすべての結果における少なくとも１つの結果が予め設定した第２閾値以上である場合、上層にＩＳ指示をレポートするように設定される。
【０１２１】
態様２を採用する場合、本実施例における第１レポートサブモジュールは、さらに、平均した結果が予め設定した第１閾値より小さい場合、上層にＯＯＳ指示をレポートし、平均した結果が予め設定した第２閾値以上である場合、上層にＩＳ指示をレポートするように設定される。
【０１２２】
好ましくは、第２レポートサブモジュールは、ビーム障害のリカバリー成功の時刻に、上層にＩＳ指示をレポートし、ＩＳ指示をレポートする時刻から、ビームのリカバリーが成功した測定信号を測定するように設定される。処理モジュールは、ビーム障害のリカバリー成功時刻は、ＵＥが比較結果に基づく同期ＩＳ又は非同期ＯＯＳ指示の生成時刻もしくはＩＳ又はＯＯＳ指示のレポート時刻と同じである場合、該時刻から１つの時間間隔をずらして、ＩＳ指示をレポートし、ＩＳ指示のレポート時刻から、ビームのリカバリーが成功した測定信号を測定するように設定される。
【０１２３】
なお、前記各モジュールはソフトウェア又はハードウェアで実現できる。後者の場合は、以下の態様で実現できるが、それに限定されない。前記モジュールはすべて同じプロセッサーに位置するか、あるいは、前記各モジュールは任意組み合わせの形で異なるプロセッサーに位置する。
【０１２４】
本発明は、コンピュータ記憶媒体を提供する。該記憶媒体は記憶したプログラムを含む。前記プログラムが作動されると、上述したいずれかの方法を実行する。
【０１２５】
好ましくは、本実施例において、前記記憶媒体は下記ステップを実行するプログラムコードを記憶するように設定されても良い。
【０１２６】
Ｓ１：無線リンクモニタリングＲＬＭの評価周期内で測定信号が変化する時刻前の測定信号、及び／又は、評価周期内で変化した測定信号の信号品質を測定する。
【０１２７】
Ｓ２：測定した信号品質を、予め設定した閾値と比較する。
【０１２８】
Ｓ３：比較結果に基づき、同期ＩＳ又は非同期ＯＯＳ指示を生成しレポートする。
【０１２９】
好ましくは、本実施例において、前記コンピュータの記憶媒体は、ＵＳＢメモリー、読み出し専用メモリー（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、可搬型ディスク、磁気ディスクあるいは光ディスクなど各種プログラムコードを記憶できる媒体を含んでもよいが、それに限定されない。
【０１３０】
本発明実施例はプロセッサーを提供する。該プロセッサーはプログラムを作動させるために用いられ、前記プログラムが作動されると、上述したいずれかの方法を実行する。
【０１３１】
好ましくは、本実施例において、前記プログラムは、下記ステップを実行するために用いられる。
【０１３２】
Ｓ１：無線リンクモニタリングＲＬＭの評価周期内で測定信号が変化する時刻前の測定信号、及び／又は、評価周期内で変化した測定信号の信号品質を測定する。
【０１３３】
Ｓ２：測定した信号品質を、予め設定した閾値と比較する。
【０１３４】
Ｓ３：比較結果に基づき、同期ＩＳ又は非同期ＯＯＳ指示を生成しレポートする。
【０１３５】
好ましくは、本実施例における具体的な例は前記実施例と好ましい実施形態において説明した例を参考できるため、ここでは繰り返し説明しない。
【０１３６】
当業者であれば、前記本発明の各モジュールと各ステップは、汎用的な計算装置で実現可能であり、１つの計算装置に集中してもよいか、あるいは、複数の計算装置からなるネットワークに分布してもよく、好ましくは、計算装置における実行可能なプログラムコードで実現可能であるため、メモリー装置に記憶されて計算装置により実行してもよく、且ついくつかの状況では、ここで示すか又は説明したステップとは異なる順序で実行してもよく、あるいは、それぞれ集積回路のモジュールにし、あるいは、それらの複数のモジュール又はステップを単体の集積回路のモジュールにして実現する。これにより、本発明は特定のハードウェアとソフトウェアの組み合わせに制限されない。
【０１３７】
上記内容は、本発明の好ましい実施例にすぎず、本発明はそれに限定されず、当業者にとって、本発明は各種の変更及び変化を有してもよい。本発明の原則内で行われる任意の修正、同等の代替、改良などは、すべて本発明の保護範囲内に含まれる。
【０１３８】
当業者であれば、本発明の実施例は、方法、システム、又はコンピュータプログラム製品として提供することができることが明らかである。したがって、本発明は、ハードウェア実施例、ソフトウェア実施例、又はソフトウェアとハードウェアを組み合わせた実施例の態様を採用してもよい。また、本発明は、少なくとも１つにコンピュータ読み取り可能なプログラムコードを含むコンピュータ読み取り可能な記録媒体（磁気ディスクメモリ及び光学メモリーなどを含むがこれらに限定されない）により実施されるコンピュータプログラム製品の態様を採用してもよい。
【０１３９】
本発明は、本発明の実施例による方法、装置（システム）及びコンピュータプログラム製品のフロー図及びブロック図における少なくとも１つを参照して説明することである。フロー図における各フロー、ブロック図における各ブロック、フロー図における各フロー及びブロック図における各ブロック、フロー図とフロー図におけるフローの組み合わせ、ブロック図におけるブロックの組み合わせ、及びフロー図におけるフローとブロック図におけるブロックの組み合わせは、コンピュータプログラムコマンドにより実現されることができることを理解すべきである。これらのコンピュータプログラムコマンドを共通コンピュータ、専用コンピュータ、組み込みプロセッサー又は他のプログラマブル機器のプロセッサーに提供して１つの機器を生成することで、コンピュータ又は他のプログラマブル信号処理装置のプロセッサーにより実行されるコマンドを、フロー図の少なくとも１つのフローに指定された機能を実現することに用いられるデバイス、ブロック図の少なくとも１つのブロックに指定された機能を実現することに用いられるデバイス、及びフロー図の少なくとも１つのフローとブロック図の少なくとも１つのブロックに指定された機能を実現することに用いられるデバイスに生成させる。
【０１４０】
これらのコンピュータプログラムコマンドは、コンピュータ又は他のプログラマブル信号処理機器が特定な携帯で作動するようにガイドすることができるコンピュータ読み取り可能なメモリーに記憶されてもよく、当該コンピュータ読み取り可能なメモリーに記憶されたコマンドにコマンド装置を含む製品を生成させ、当該コマンド装置は、フロー図の少なくとも１つのフローに指定された機能と、ブロック図の少なくとも１つのブロックに指定された機能と、フロー図の少なくとも１つのフロー及びブロック図の少なくとも１つのブロックに指定された機能とを実現する。
【０１４１】
これらのコンピュータプログラムコマンドは、コンピュータ又は他のプログラマブル信号処理機器に積載されてもよく、コンピュータ又は他のプログラマブル機器に一連の操作ステップを実行させることによりコンピュータが実現する処理を生成し、コンピュータ又は他のプログラマブル機器に実行されたコマンドに、フロー図の少なくとも１つのフローに指定された機能を実現するためのステップと、ブロック図の少なくとも１つのブロックに指定された機能を実現するためのステップと、フロー図の少なくとも１つのフロー及びブロック図の少なくとも１つのブロックに指定された機能を実現するためのステップとを提供させる。
【０１４２】
以上内容は、本発明の好ましい実施例にすぎず、本発明の保護範囲を制限するものではない。
【産業上の利用可能性】
【０１４３】
本発明の実施例によれば、ＲＬＭ評価周期内で変化した測定信号の信号品質を測定し、測定した信号品質を、予め設定した閾値と比較し、比較結果に基づき、同期ＩＳ又は非同期ＯＯＳ指示を生成しレポートすることで、ある時間帯においてＵＥに割り当てられるサービスビームが変化した信号品質を取得できなことに起因して上層に正確な指示をレポートすることができないという問題を解決し、関連技術の空白を埋めた。
【図１】
2020535696.tif 000003
【図２】
2020535696.tif 000004
【図３】
2020535696.tif 000005
【図４】
2020535696.tif 000006
【図５】
2020535696.tif 000007
【図６】
2020535696.tif 000008
【図７】
2020535696.tif 000009
【図８】
2020535696.tif 000010
【図９】
2020535696.tif 000011
【図１０】
2020535696.tif 000012
【図１１】
2020535696.tif 000013
【国際調査報告】
2020535696.tif 000014
2020535696.tif 000015
2020535696.tif 000016
2020535696.tif 000017